(57)【要約】  【課題】  風量アップを効果的に行い、かつ設置スペースの小さい室外ユニットを得る。  【解決手段】  圧縮機３、熱交換器１、軸流ファン８を有する室外ユニットにおいて、室外ユニット背面及び一側面に配置された熱交換器１と、軸流ファン８の最外円周の長さを軸流ファンを構成する翼の枚数で除した値に対する翼１枚の外周部の周方向長さとの比が0．8以上とされた軸流ファン８と、を備え、軸流ファン８は、その回転軸が室外ユニットの背面側に配置された熱交換器１に対して略垂直になるように配置され、外形寸法は490ｍｍ以上600mm以下とされ、高さ方向に２個配置されている。【選択図】  図１
2007078217.tif 000002
【特許請求の範囲】
【請求項１】
圧縮機、熱交換器、軸流ファンを有する室外ユニットにおいて、
前記室外ユニット背面及び一側面に配置された前記熱交換器と、
前記軸流ファンの最外円周の長さを前記軸流ファンを構成する翼の枚数で除した値に対する前記翼１枚の外周部の周方向長さとの比が0．8以上とされた前記軸流ファンと、
を備え、前記軸流ファンは、その回転軸が室外ユニットの背面側に配置された前記熱交換器に対して略垂直になるように配置され、外形寸法は490ｍｍ以上600mm以下とされ、高さ方向に２個配置されたことを特徴とする室外ユニット。
【請求項２】
請求項１記載のものにおいて、前記２個の軸流ファンは直列に接続されていることを特徴とする室外ユニット。
【請求項３】
請求項１記載のものにおいて、前記軸流ファンの流れ方向に対して逆コーン形状を有したベルマウスを備えたことを特徴とする室外ユニット。
【請求項４】
請求項１記載のものにおいて、前記軸流ファンは風量が110〜200m3/minとされ、室外ユニットは冷房能力が20〜30ｋＷ、正面側から見た外形寸法である幅寸法が1000〜1200ｍｍとされたことを特徴とする室外ユニット。
【請求項５】
請求項１記載のものにおいて、前記軸流ファンは風量が110〜200m3/minとされ、室外ユニットは冷房能力が20〜30ｋＷ、側面から見た外形寸法である奥行き寸法が350〜450ｍｍとされたことを特徴とする室外ユニット。
【発明の詳細な説明】
【技術分野】
【０００１】
本発明は空気調和機、冷凍機に利用されている室外ユニットに関し、特に設置スペースの狭小化に適し、環境保護、リサイクル性も考慮して据付性を向上するものに好適である。
【背景技術】
【０００２】
空気調和機の環境保護に対する対策としては、オゾン層を破壊しないことが条件とされ、塩素を含まない代替フロン、具体的にはHFC系冷媒が使用されている。しかし、環境に配慮するためには、単にHFC系冷媒を使用するだけでなく、製品のライフサイクルを通じたリサイクル性、易分解構造、省エネルギや低騒音化が必要とされている。
【０００３】
特に空気調和機のキャビネットサイズ（外形寸法）が冷暖房能力に対して小型であることは、リサイクル性が向上する。そして、キャビネットサイズに関しては、例えば特許文献１で、送風ファンの外径を、キャビネットの短辺部側寸法から許容される最大の口径にし、コンパクト化と風量アップの両立を図っていることが記載されている。
【０００４】
【特許文献１】特開２００４−１５６８７２号公報
【発明の開示】
【発明が解決しようとする課題】
【０００５】
上記従来技術において、特に冷房能力20〜30ｋWの室外ユニットの場合は、送風ファンによりユニット上方に空気を吹き出す形態が必須とされ、室外ユニットを据え付ける上での設置スペース（設定面積）は、上方から見た投影面積で決まるので、搭載する送風ファンの大きさに依存する。そのため、風量アップするに連れて設置スペースが大きくなり、新規の据え付けやリニューアル時での撤去時にエレベータに載せて搬送する場合、大型エレベータが必要になるなど環境、特にリサイクル製に充分配慮されているとは言い難い。また、同一設置面積により多くの台数を設置することが困難となる。
【０００６】
さらに、低騒音化については送風ファンの外径寸法を大きくすると有利であるが、特許文献１のものでは設置スペースを小さくして低騒音化するには適していない。
【０００７】
本発明の目的は、風量アップを効果的に行い、かつ設置スペースの小さい室外ユニットを提供することにある。
【課題を解決するための手段】
【０００８】
上記目的を達成するために、本発明は圧縮機、熱交換器、軸流ファンを有する室外ユニットにおいて、前記室外ユニット背面及び一側面に配置された前記熱交換器と、前記軸流ファンの最外円周の長さを前記軸流ファンを構成する翼の枚数で除した値に対する前記翼１枚の外周部の周方向長さとの比が0．8以上とされた前記軸流ファンと、を備え、前記軸流ファンは、その回転軸が室外ユニットの背面側に配置された前記熱交換器に対して略垂直になるように配置され、外形寸法は490ｍｍ以上600mm以下とされ、高さ方向に２個配置されたものである。
【０００９】
また、上記のものにおいて、前記２個の軸流ファンは直列に接続されていることが望ましい。  
さらに、上記のものにおいて、前記軸流ファンの流れ方向に対して逆コーン形状を有したベルマウスを備えたことが望ましい。
【００１０】
さらに、上記のものにおいて、前記軸流ファンは風量が110〜200m3/minとされ、室外ユニットは冷房能力が20〜30ｋＷ、正面側から見た外形寸法である幅寸法が1000〜1200ｍｍとされたことが望ましい。  
さらに、上記のものにおいて、前記軸流ファンは風量が110〜200m3/minとされ、室外ユニットは冷房能力が20〜30ｋＷ、側面から見た外形寸法である奥行き寸法が350〜450ｍｍとされたことが望ましい。
【発明の効果】
【００１１】
本発明によれば、設置スペースを大きくすることなく、風量を大きくでき、低騒音、多数台設置、リニューアルに適した空気調和機及びそれに用いられる室外ユニットを得ることができる。
【発明を実施するための最良の形態】
【００１２】
以下、本発明の一実施の形態を図面を参照して説明する。  
図１は、一実施の形態による室外ユニットの主要部を表す斜視分解図、図２は同じく内部構成を示す平面図、図３は、同じく正面図、図４は同じく側面図である。図５は、一実施の形態による室外ユニットの軸流ファン部分を示す断面図、図６は同じく軸流ファンを示す正面図、図７は同じくベルマウスを示す正面図、図８は同じくベルマウスを示す側面図、図9は従来の室外ユニットの外形を示す正面図、図10は一実施の形態による室外ユニット外形を示す側面図である。
【００１３】
店舗、オフィスビルに空気調和機の室外ユニットを設置する場合、ビルの屋上に設置される場合が多く、屋上スペースを有効に使用するためにも室外ユニットの小型化、コンパクト化が進められ、室外ユニットは製品床面積を小さくした製品形状とすることが望まれてきた。さらに、近年、都市部でヒートアイランド現象が問題視されるようになり、その対策で屋上緑化を図る店舗、オフィスビルの増加に伴い、室外ユニットをビルの屋上に設置できずベランダなどに設置するケースも増加しており、従来以上の室外ユニットの小型化、コンパクト化が必要とされている。
【００１４】
図１において、室外ユニットの本体の下端は製品質量を支えるアシ１１およびソコベース１２、外板はユニット右前面、右側面および左背面をマエカバウエ１５、マエカバシタ１４、アトカバウエ１７、アトカバシタ１６、ユニット上側をウエカバ２１で囲っている。ユニット背面ならびに左側面には熱交換器１が配置される。ユニット左側面にはユニット強度を確保するためにワキカバ１９を熱交換器１の外側に配置される。ユニット前面はシュラウド１３で囲っている。また、シュラウド１３にはベルマウス９を２個配置し、軸流ファン８で送られる風の通風路を構成し、ベルマウス９の出口側に吹出グリル１０が設けられている。室外ユニットはシキリイタ２０で、軸流ファン８、モータ１１が配置される送風機室と、図２、図３ならびに図４に示すように膨張弁２、圧縮機３、レシーバタンク４、冷凍サイクル用配管を介して四方弁５、バルブ６を配置して構成される機械室とに仕切られる。
【００１５】
室外ユニットの下端は、全体の質量を支えるソコベース１２と設置面と室外ユニット本体を固定するアシ１１からなる。製品の床面積は、ソコベースの寸法により決定され、図１のものでは冷房能力２０〜３０ｋWで外形寸法は幅１１００ｍｍ×奥行３９０ｍｍとしている。
【００１６】
送風装置は、軸流ファン８、ベルマウス９、吹出グリル１０、モータ１１で構成され、ユニット背面の熱交換器面に対して、軸流ファンの回転軸を垂直になるように配置され、風をユニット前方に吹き出すようになっている。軸流ファンの外径寸法ならびに使用する個数は冷暖房能力に対する室外ユニットの熱交換性能で決定され、図１の冷房能力２０〜３０ｋWの室外ユニットで、外径寸法５４４ｍｍで軸流ファンを２個を熱交換器高さ方向に２個直列に配置して使用している。外径寸法の大きい軸流ファンをユニット前方に風を吹き出すような形態で使用した場合には、軸流ファン８をオーバーハングして支持することになるため、その回転アンバランス力により室外ユニットの振動が大きくなるが、モータ９を支持するモータクランプ２２の剛性向上やモータクランプと外板との固定点数を従来より増加して室外ユニットの振動低減を図っている。
【００１７】
図５は軸流ファン部分を示し、軸流ファン８と、風に方向性を持たせ渦発生を抑え流速を減速させるベルマウス９と、軸流ファン８に人の手がはいったり、物が侵入するのを防止する吹出グリル１０を有している。軸流ファン８の形状について図６、図７にて説明する。軸流ファン８の外径寸法を大きくしないために、翼の揚力を減らし翼１枚あたりの風を掻きだす仕事量を増やしている。つまり、翼１枚あたりの風を掻き出す仕事量を増やすために、軸流ファン８の最外円周の長さを軸流ファンを構成する翼の枚数で除した値に対する翼１枚の外周部の周方向長さとの比が０．８以上となるよう翼先端を長くしている。
【００１８】
つまり、軸流ファン８の高効率化により、軸流ファンの外径寸法の小型化や回転数低減が図れ、ユニット前方に風を吹き出すような室外ユニットの形態でありながら、冷房能力２０〜３０ｋWの室外ユニットに必要とされる風量が確保可能となる。また、先に述べたように室外ユニットの低振動化についても回転数を低減できることで有利となる。
【００１９】
冷凍サイクルを循環する冷媒をHFC系冷媒とすることで、地球環境保護としてオゾン層を破壊する恐れがない。また、軸流ファンの最外円周の長さを前記軸流ファンを構成する翼の枚数で除した値に対する前記翼１枚の外周部の周方向長さとの比が0．8以上とし、翼面積を大きくしているので、軸流ファンは高効率化される。この軸流ファンの回転軸を室外ユニット背面及び一側面を形成する熱交換器のユニット背面側の熱交換器面に対して垂直としてユニット前方に空気を吹き出す構成とし、外径寸法が490ｍｍ以上600mm以下の軸流ファンを熱交換器の高さ方向に直列に２個配置することで省エネルギ化に必要な室外ユニットの風量を確保しつつ、室外ユニットを小型化することができる。
【００２０】
本実施の形態のベルマウス９では、図８、図９に示すように、軸流ファンの外周に流れ方向に対して逆コーン形状９ａとなるベルマウス形状として、逆流して軸流ファン８に再流入する擾乱の影響を低減することができ、室外ユニットを低騒音化することができる。また、軸流ファンの外周部に設置するベルマウスを流れ方向に対して逆コーン形状とすることで、ベルマウス流入口で発生する気流の乱れを防止して、室外ユニットを低騒音化することができる。
【００２１】
以上、軸流ファンの高効率化により、軸流ファンの回転軸を室外ユニット背面及び一側面を形成する熱交換器のユニット背面側の熱交換器面に対して垂直としてユニット前方に空気を吹き出す構成とし、外径寸法490ｍｍ以上600ｍｍ以下の軸流ファンを熱交換器の高さ方向に２個配置することで省エネルギ化に必要な室外ユニットの風量を確保しつつ、室外ユニットを小型化することができる。さらに、軸流ファンの外周部に設置するベルマウスを流れ方向に対して逆コーン形状とすることで、ベルマウス流入口で発生する気流の乱れを防止して室外ユニットを低騒音化することができる。
【００２２】
そして、設置スペースの狭小化を図り、環境保護、リサイクル性に充分適した空気調和機およびそれに用いられる室外ユニットを得ることができる。
【００２３】
また、オゾン層を破壊することなく、冷房能力が20〜30ｋWにも係わらず、軸流ファンの風量を大きくし、正面側から見て幅となる外形寸法を小さくしているので、省エネルギ化に必要な室外ユニットの熱交換性能を補いながら室外ユニットを小型化することができる、設置スペースの狭小化を図り、環境保護、リサイクル性に充分適した空気調和機およびそれに用いられる室外ユニットを得ることができる。
【００２４】
さらに、オゾン層を破壊することなく、冷房能力が20〜30ｋWにも係わらず、軸流ファンの風量を大きくし、側面側から見て幅となる外形寸法を小さくしているので、省エネルギ化に必要な室外ユニットの熱交換性能を補いながら室外ユニットを小型化することができる、設置スペースの狭小化を図り、環境保護、リサイクル性に充分適した空気調和機およびそれに用いられる室外ユニットを得ることができる。
【図面の簡単な説明】
【００２５】
【図１】一実施の形態による室外ユニットの主要部を表す斜視分解図。
【図２】一実施の形態による室外ユニットの主要部の内部構成を示す平面図。
【図３】一実施の形態による室外ユニットの主要部の内部構成を示す正面図。
【図４】一実施の形態による室外ユニットの主要部の内部構成を示す側面図。
【図５】一実施の形態による室外ユニットの軸流ファン部分を示す斜視図。
【図６】一実施の形態による室外ユニットの軸流ファンを示す正面図。
【図７】一実施の形態による室外ユニットの軸流ファンを示す側面図。
【図８】一実施の形態による室外ユニットのベルマウスを示す正面図。
【図９】一実施の形態による室外ユニットのベルマウスを示す側面図。
【符号の説明】
【００２６】
1…熱交換器、2…膨張弁、3…圧縮機、4…レシーバタンク、5…四方弁6…バルブ、7…モータ、8…軸流ファン、9…ベルマウス、10…吹出しグリル、11…アシ、12…ソコベース、13…シュラウド、14…マエカバシタ、15…マエカバウエ、16…アトカバシタ、17…アトカバウエ、18…保護アミ、19…ワキカバ、20…シキリイタ、21…ウエカバ、22…モータクランプ
【図１】
2007078217.tif 000003
【図２】
2007078217.tif 000004
【図３】
2007078217.tif 000005
【図４】
2007078217.tif 000006
【図５】
2007078217.tif 000007
【図６】
2007078217.tif 000008
【図７】
2007078217.tif 000009
【図８】
2007078217.tif 000010
【図９】
2007078217.tif 000011